(57)【特許請求の範囲】
【請求項１】
パイプの内部に長さ調整ナットが固定され該パイプの一端部に壁面固定用の固定ボルトを備えた壁つなぎパイプと、仮設足場に連結するクランプ金具の本体に回転自在に連結され、壁つなぎパイプの他端部から内部に挿入して長さ調整ナットにネジ止めする長ボルトとを備え、長ボルトに対する壁つなぎパイプの回転で壁つなぎパイプからクランプ金具までの長さが伸縮自在に構成された壁つなぎ金具において、
長ボルトのクランプ金具がわ端部に、電動ドライバーに装着せしめる電動操作用ボルト頭部を形成し、
クランプ金具の本体に揺動自在に設けられ、縦パイプに巻着する蓋体を本体に連結せしめる締付ボルトの端部に、電動操作用ボルト頭部と同形状の外形を有する電動操作用締付ナットをネジ止めし、
長ボルトと壁つなぎパイプとを覆うパイプカバーが設けられ、該パイプカバーと長ボルトの側面を貫通せしめる連結軸を設け、該連結軸にて長ボルトにパイプカバーを連結し、電動操作用ボルト頭部の回転操作にてパイプカバーごと長ボルトを回転させるように構成したことを特徴とする仮設足場用壁つなぎ金具。
【請求項２】
パイプの内部に長さ調整ナットが固定され該パイプの一端部に壁面固定用の固定ボルトを備えた壁つなぎパイプと、仮設足場に連結するクランプ金具の本体に回転自在に連結され、壁つなぎパイプの他端部から内部に挿入して長さ調整ナットにネジ止めする長ボルトと、を備え、長ボルトの回転で壁つなぎパイプに対して長ボルトが伸縮自在に構成された壁つなぎ金具であって、長ボルトのクランプ金具がわ端部に、電動ドライバーに装着せしめる電動操作用ボルト頭部を形成し、クランプ金具の本体に揺動自在に設けられ、縦パイプに巻着する蓋体を本体に連結せしめる締付ボルトの端部に、電動操作用ボルト頭部と同形状の外形を有する電動操作用締付ナットをネジ止めした仮設足場用壁つなぎ金具の連結工法において、
建物の壁面にアンカーＲを埋設するアンカー埋設工程と、
該アンカーに壁つなぎ金具の固定ボルトをネジ止めして壁面に壁つなぎ金具を連結する固定ボルト連結工程と、
壁面に連結された壁つなぎ金具の電動操作用ボルト頭部を電動ドライバーにて回転させる際に、壁面のアンカーに連結された壁つなぎパイプを持ちながら、電動操作用ボルト頭部を電動ドライバーにて回転させることで壁つなぎ金具の長さを調整する長さ調整工程と、
長さ調整後、クランプ金具の電動操作用締付ナットを電動ドライバーにて回転させ縦パイプに巻着する蓋体を本体に連結するように電動操作用締付ナットを締め付け固定するナット締付工程と、を有することを特徴とする仮設足場用壁つなぎ金具の連結工法。
【発明の詳細な説明】
【技術分野】
【０００１】
本発明は、建設用の仮設足場を建物に連結する際に使用する仮設足場用壁つなぎ金具に係り、特に、建物と仮設足場との距離に合わせる壁つなぎ金具の長さ調整が極めて容易な仮設足場用壁つなぎ金具及び壁つなぎ金具の連結工法に関する。
【背景技術】
【０００２】
戸建住宅等の建築施工やマンション等の補修工事などに仮設足場が構築される。この仮設足場を建物の周囲に配置する際に、仮設足場の転倒を防ぐため壁つなぎ金具が使用される。この壁つなぎ金具は、一方を仮設足場の縦パイプにクランプで連結し、他方を建物の壁面に埋設したアンカーに固定ネジでネジ止めすることで、壁面に仮設足場を固定するものである。
【０００３】
特許文献１には、一般に使用されているタイプの壁つなぎ金具が記載されている。すなわち、パイプ部材の内部にナットが挿入されており、このパイプ部材の一端部から挿入された進退ネジ軸をナットに螺着したものである。そして、この進退ネジ軸を回転することによりパイプ部材に対して進退ネジ軸が進退自在になる。更に、この進退ネジ軸の一端部に仮設足場用のクランプが設けられると共に、パイプ部材の他端部に、建造物の壁面に固定する固定ボルトを備えたものである。
【先行技術文献】
【特許文献】
【０００４】
【特許文献１】特開平１０−２０５１２０号公報
【発明の概要】
【発明が解決しようとする課題】
【０００５】
ところが、特許文献１に記載のような従来の壁つなぎ金具を使用するには、この金具の長さを調整する作業に多くの手間を要する課題があった。すなわち、この壁つなぎ金具は、建物の壁面の中で、固定に適した位置を選定し、仮設足場の縦パイプから水平に連結できる位置にアンカーを埋設する。次に、このアンカーから縦パイプまでの距離に合わせて壁つなぎ金具の長さを調整し、調整後、壁つなぎ金具の固定ボルトをアンカーにネジ止めし、クランプを縦パイプに連結するといった手順になる。
【０００６】
このとき、壁つなぎ金具の長さの調整は、クランプ金具を装着した進退ネジ軸に対してパイプ部材を回転させることで全体の長さを調整している。ところが、このパイプ部材を回転させる作業は手作業になり、しかも、壁つなぎ金具は、一つの仮設足場を固定するために多数本使用されるものなので、この長さ調整作業は極めて多くの手間を要するものであった。しかも、固定ボルトをアンカーにネジ止めした後は、再び壁つなぎ金具の長さを微調整するといった二度の手間も要していた。
【０００７】
そこで本発明は、上述の課題を解決すべく案出されたもので、建物と仮設足場との距離に合わせて壁つなぎ金具の長さを簡単に調整することができ、しかも、調整後、仮設足場に合理的に連結することができる仮設足場用壁つなぎ金具及び壁つなぎ金具の連結工法の提供を目的とするものである。
【課題を解決するための手段】
【０００８】
本発明の第１の手段は、パイプの内部に長さ調整ナット１１が固定され該パイプの一端部に壁面Ｑ固定用の固定ボルト１２を備えた壁つなぎパイプ１０と、仮設足場に連結するクランプ金具３０の本体３１に回転自在に連結され、壁つなぎパイプ１０の他端部から内部に挿入して長さ調整ナット１１にネジ止めする長ボルト２０と、を備え、長ボルト２０に対する壁つなぎパイプ１０の回転で壁つなぎパイプ１０からクランプ金具３０までの長さが伸縮自在に構成された壁つなぎ金具において、
長ボルト２０のクランプ金具３０がわ端部に、電動ドライバーＰに装着せしめる電動操作用ボルト頭部２１を形成し、
クランプ金具３０の本体３１に揺動自在に設けられ、縦パイプに巻着する蓋体３２を本体に連結せしめる締付ボルト３３の端部に、電動操作用ボルト頭部２１と同形状の外形を有する電動操作用締付ナット３４をネジ止めし、
長ボルト２０と壁つなぎパイプ１０とを覆うパイプカバー４０が設けられ、該パイプカバー４０と長ボルト２０の側面を貫通せしめる連結軸４１を設け、該連結軸４１にて長ボルト２０にパイプカバー４０を連結し、電動操作用ボルト頭部２１の回転操作にてパイプカバー４０ごと長ボルト２０を回転させるように構成したことにある。
【００１０】
第２の手段の連結工法は、パイプの内部に長さ調整ナット１１が固定され該パイプの一端部に壁面Ｑ固定用の固定ボルト１２を備えた壁つなぎパイプ１０と、仮設足場に連結するクランプ金具３０の本体３１に回転自在に連結され、壁つなぎパイプ１０の他端部から内部に挿入して長さ調整ナット１１にネジ止めする長ボルト２０と、を備え、長ボルト２０の回転で壁つなぎパイプ１０に対して長ボルト２０が伸縮自在に構成された壁つなぎ金具であって、長ボルト２０のクランプ金具３０がわ端部に、電動ドライバーＰに装着せしめる電動操作用ボルト頭部２１を形成し、クランプ金具３０の本体３１に揺動自在に設けられ、縦パイプに巻着する蓋体３２を本体に連結せしめる締付ボルト３３の端部に、電動操作用ボルト頭部２１と同形状の外形を有する電動操作用締付ナット３４をネジ止めした仮設足場用壁つなぎ金具の連結工法において、建物の壁面ＱにアンカーＲを埋設するアンカー埋設工程１００と、該アンカーＲに壁つなぎ金具の固定ボルト１２をネジ止めして壁面Ｑに壁つなぎ金具を連結する固定ボルト連結工程２００と、
壁面Ｑに連結された壁つなぎ金具の電動操作用ボルト頭部２１を電動ドライバーＰにて回転させ該壁つなぎ金具の長さを調整する際に、壁面Ｑの前記アンカーＲに連結された壁つなぎパイプ１０を持ちながら、電動操作用ボルト頭部２１を電動ドライバーＰにて回転させることで壁つなぎ金具の長さを調整する長さ調整工程３００と、長さ調整後、クランプ金具３０の電動操作用締付ナット３４を電動ドライバーＰにて回転させ縦パイプに巻着する蓋体３２を本体に連結するように電動操作用締付ナット３４を締め付け固定するナット締付工程４００と、を備えた連結工法にある。
【発明の効果】
【００１２】
本発明の請求項１の如く、長ボルト２０のクランプ金具３０がわ端部に、電動ドライバーＰに装着せしめる電動操作用ボルト頭部２１を形成したことで、これまで、手作業で行ってきた長さ調整作業を電動ドライバーＰにて簡単にすることができる。この結果、一つの現場で多数本使用される壁つなぎ金具の長さ調整を合理的且つ短時間で行うことができるものである。
【００１３】
しかも、クランプ金具３０の本体３１に揺動自在に設けられ、縦パイプに巻着する蓋体３２を本体に連結せしめる締付ボルト３３の端部に、電動操作用ボルト頭部２１と同形状の外形を有する電動操作用締付ナット３４をネジ止めしたことにより、長さを調整した後、そのまま電動ドライバーＰを使用して電動操作用締付ナット３４を締め付けることができるので、本発明金具の装着作業を極めて簡略化することができる。したがって、これまで、固定ボルトをアンカーにネジ止めした後に再び壁つなぎ金具の長さを微調整するといった二度の手間も不要になった。
【００１４】
また、長ボルト２０と前記壁つなぎパイプ１０とを覆うパイプカバー４０が設けられ、該パイプカバー４０と長ボルト２０の側面を貫通せしめる連結軸４１を設け、該連結軸４１にて長ボルト２０にパイプカバー４０を連結し、前記電動操作用ボルト頭部２１の回転操作にてパイプカバー４０ごと長ボルト２０を回転させるように構成したことで、長ボルト２０に連結したクランプ金具３０とパイプカバー４０とは直接連結されず、長ボルト２０を介した状態で連結されるものとなる。しかも、クランプ金具３０は、長ボルト２０を回転自在に連結しているので、このクランプ金具３０を足場に固定する際に、長ボルト２０やパイプカバー４０に規制されにくく、遊びが生じた状態で連結することができる。このような長ボルト２０をパイプカバー４０で保護した構成の壁つなぎ金具であっても、電動ドライバーＰにて容易に長さ調整することができるものである。
【００１５】
請求項３のごとく、建物の壁面ＱにアンカーＲを埋設するアンカー埋設工程１００と、該アンカーＲに壁つなぎ金具の固定ボルト１２をネジ止めして壁面Ｑに壁つなぎ金具を連結する固定ボルト連結工程２００と、壁面Ｑに連結された壁つなぎ金具の電動操作用ボルト頭部２１を電動ドライバーＰにて回転させ該壁つなぎ金具の長さを調整する長さ調整工程３００と、長さ調整後、クランプ金具３０の電動操作用締付ナット３４を電動ドライバーＰにて回転させ縦パイプに巻着する蓋体３２を本体に連結するように電動操作用締付ナット３４を締め付け固定するナット締付工程４００と、を備えた連結工法により、建物と仮設足場との距離に合わせて壁つなぎ金具の長さを簡単に調整することができ、しかも、調整後、縦パイプＳ１に合理的に連結することができる。
【００１６】
更に、壁面ＱのアンカーＲに連結された状態で壁つなぎパイプ１０を持ちながら、電動操作用ボルト頭部２１を電動ドライバーＰにて回転させることで壁つなぎ金具の長さを調整する連結工程により、本発明つなぎ金具を極めて安定した状態で長さ調整することができる。したがって、高所における長さ調整作業でも安全に行うことができる。
【図面の簡単な説明】
【００１７】
【図１】本発明壁つなぎ金具の一実施例を示す正面図である。
【図２】本発明の壁つなぎパイプと長ボルトとを示す要部切欠正面図である。
【図３】本発明のクランプ金具と長ボルトとを示す要部切欠正面図である。
【図４】本発明の電動操作用ボルト頭部を電動ドライバーで回転させる状態を示す説明図である。
【図５】本発明の電動操作用締付ナットを電動ドライバーで回転させる状態を示す説明図である。
【図６】本発明壁つなぎ金具の使用状態を示す概略図である。
【図７】本発明壁つなぎ金具連結工法の連結工程を示すブロック図である。
【発明を実施するための形態】
【００１８】
本発明によると、建物と仮設足場との距離に合わせて壁つなぎ金具の長さを簡単に調整することができ、しかも、調整後、仮設足場に合理的に連結することができるなどといった当初の目的を達成した。
【実施例】
【００１９】
以下、図面を参照して本発明の構成を詳細に説明する。本発明つなぎ金具は、仮設足場Ｓを建築物の壁面Ｑに固定するために使用するものである（図６参照）。本発明つなぎ金具の基本構成は、壁つなぎパイプ１０、長ボルト２０、クランプ金具３０、パイプカバー４０にて構成されている（図１参照）。
【００２０】
壁つなぎパイプ１０は、パイプの内部に長さ調整ナット１１が固定され該パイプの一端部に壁面固定用の固定ボルト１２を備えたパイプ部材である（図１参照）。図示の固定ボルト１２は、壁つなぎパイプ１０を貫通する連結軸１３に連結されている。
【００２１】
長ボルト２０は、壁つなぎパイプ１０の他端部から内部に挿入して長さ調整ナット１１にネジ止めするボルト状の部材で、仮設足場Ｓに連結するクランプ金具３０の本体３１に回転自在に連結されている（図３参照）。そして、この長ボルト２０に対して壁つなぎパイプ１０を回転させると、壁つなぎパイプ１０からクランプ金具３０までの長さが伸縮自在になるように構成されている（図２参照）。
【００２２】
本発明では、長ボルト２０のクランプ金具３０がわ端部に、電動ドライバーＰに装着せしめる電動操作用ボルト頭部２１を形成している（図４参照）。そして、電動ドライバーＰのソケットビットＰ１にて回転操作するように設けている。この電動操作用ボルト頭部２１を回転操作することで、長ボルト２０が回転してクランプ金具３０から壁つなぎパイプ１０までの長さが伸縮自在になるものである。図示の電動操作用ボルト頭部２１は、六角形状を成し、電動操作用ボルト頭部２１と長ボルト２０との境界部分にフランジ２１Ａを形成している。そして、電動ドライバーＰのソケットビットＰ１端部がこのフランジ２１Ａに当接するものである。
【００２３】
クランプ金具３０は、仮設足場Ｓの縦パイプＳ１に連結する部材で、本体３１、蓋体３２、締付ボルト３３、電動操作用締付ナット３４にて構成されている（図５参照）。本体３１は、長ボルト２０を回動自在に連結する部材で、この本体３１の両端部に蓋体３２と締付ボルト３３が設けられている。蓋体３２は、本体３１に揺動自在に設けられ、縦パイプＳ１に巻着する部材である。締付ボルト３３は、この蓋体３２を本体に連結せしめるボルト部材で、この締付ボルト３３にネジ止めしたナットを蓋体３２の端部に突設してある係止部３２Ａに係止させて緊締する。
【００２４】
電動操作用締付ナット３４は、この係止部３２Ａに係止するナット部材である。この電動操作用締付ナット３４の外形は、前述した電動操作用ボルト頭部２１の外形と同寸法、同形状に設けられたものである。図示例では、電動操作用ボルト頭部２１及び電動操作用締付ナット３４の外形を同寸法の六角形状に形成することで、電動操作用ボルト頭部２１を回転させたソケットビットＰ１と同じソケットビットＰ１にて回転操作できるように設けている。
【００２５】
パイプカバー４０は、長ボルト２０と壁つなぎパイプ１０とを覆うパイプ部材である（図１参照）。このパイプカバー４０には、パイプカバー４０と長ボルト２０との側面を貫通せしめる連結軸４１を設けてあり、この連結軸４１にて長ボルト２０にパイプカバー４０を連結したものである（図３参照）。したがって、長ボルト２０の電動操作用ボルト頭部２１を電動ドライバーＰで回転操作すると、このパイプカバー４０ごと長ボルト２０が回転するものである。図示例では、パイプカバー４０の回転を容易にするため、パイプカバー４０と長ボルト２０との間に補助リング４２を介している。
【００２６】
次に、本発明つなぎ金具を使用した壁つなぎ金具の連結工法について説明する。本発明連結工法は、アンカー埋設工程１００、固定ボルト連結工程２００、長さ調整工程３００、ナット締付工程４００といった四つの工程を有するものである（図７参照）。
【００２７】
アンカー埋設工程１００は、建物の壁面ＱにアンカーＲを埋設する工程である。この工程では、まず、建物の壁面Ｑの中で、固定に適した位置を選定する。次に、仮設足場Ｓの縦パイプＳ１から水平に連結できる位置にマーキングし、この位置にアンカーＲを埋設する。アンカーＲを埋設できない箇所は、このアンカーＲに代わる任意の部材を使用することも可能である。
【００２８】
固定ボルト連結工程２００は、壁面Ｑの所定位置に既に埋設されているアンカーＲに壁つなぎ金具の固定ボルト１２をネジ止めして壁つなぎ金具を連結する工程である。この工程では、従来のつなぎ金具のように、予め、壁面Ｑから縦パイプＳ１までの距離に合わせて、おおよその長さに調整する必要はなく、あるがままの長さでアンカーＲに固定ボルト１２を連結する作業になる。壁面Ｑの強度が十分な場合は、予め、各アンカーＲにそれぞれ本発明壁つなぎ金具を連結しておくことも可能である。
【００２９】
長さ調整工程３００は、壁面Ｑに連結された壁つなぎ金具の電動操作用ボルト頭部２１を電動ドライバーＰにて回転させて、壁つなぎ金具の長さを調整する工程である（図４参照）。電動操作用ボルト頭部２１に電動ドライバーＰのソケットビットＰ１を当てて回転させることで、長ボルト２０の長さが調整され、これに伴ってクランプ金具３０の位置を縦パイプＳ１の位置に合わせることができるものである。より具体的には、壁つなぎパイプ１０の端部は、既に固定ボルト１２にて壁面Ｑに固定されているので、この壁つなぎパイプ１０を一方の手で支えながら、電動操作用ボルト頭部２１にソケットビットＰ１を当てて回転させる操作になる。このような操作のみで、クランプ金具３０の位置を縦パイプＳ１の位置に簡単にしかも正確に合わせることができる。
【００３０】
ナット締付工程４００は、長さ調整後、クランプ金具３０を縦パイプＳ１に連結する工程である（図５参照）。クランプ金具３０を連結するには、仮設足場Ｓの縦パイプＳ１に巻着せしめるクランプ金具３０の蓋体３２を、クランプ金具３０の本体３１に連結する。このとき、本体３１に揺動自在に設けられた締付ボルト３３の端部に、電動操作用ボルト頭部２１と同形状の外形を有する電動操作用締付ナット３４をネジ止めしており、この電動操作用締付ナット３４を蓋体３２の係止部３２Ａに係止させるときに、電動操作用締付ナット３４を電動ドライバーＰのソケットビットＰ１にて回転させるものである。このソケットビットＰ１は、長ボルト２０の電動操作用ボルト頭部２１に使用した同じソケットビットＰ１を使用する。
【産業上の利用可能性】
【００３１】
本発明つなぎ金具の利用方法は、特に、戸建住宅等の建築工事や改修工事に好適であるが、ビル建築における作業の安全性を確保することも可能である。
【符号の説明】
【００３２】
Ｐ  電動ドライバー
Ｐ１  ソケットビット
Ｑ  壁面
Ｒ  アンカー
Ｓ  仮設足場
Ｓ１  縦パイプ
１０  壁つなぎパイプ
１１  長さ調整ナット
１２  固定ボルト
１３  連結軸
２０  長ボルト
２１  電動操作用ボルト頭部
２１Ａ  フランジ
３０  クランプ金具
３１  本体
３２  蓋体
３２Ａ  係止部
３３  締付ボルト
３４  電動操作用締付ナット
４０  パイプカバー
４１  連結軸
４２  補助リング
１００  アンカー埋設工程
２００  固定ボルト連結工程
３００  長さ調整工程
４００  ナット締付工程
【図１】
0005773936.tif 000002
【図２】
0005773936.tif 000003
【図３】
0005773936.tif 000004
【図４】
0005773936.tif 000005
【図５】
0005773936.tif 000006
【図６】
0005773936.tif 000007
【図７】
0005773936.tif 000008